(57)【要約】【課題】トレーサビリティシステムを管理する管理者の管理コストや管理負担を増大させることなく、商品の履歴情報を提供するとともに付加的な情報を提供したり利用させたりすることができるようにする。【解決手段】商品に付されているトレーサビリティコードを提示したユーザ端末３０からの履歴情報の取得依頼に応じて、履歴情報の提供に際してのユーザが開設するサイトの文字広告料金に関する閲覧条件情報をユーザ端末３０に対して提示し、閲覧条件情報に応答したユーザ端末３０からの回答情報が示す回答内容に応じて、サイトに関する広告情報を検索エンジンの検索結果ページに掲載するための広告掲載条件情報を更新し、ユーザ端末３０からの回答情報が示す回答内容に応じて、トレーサビリティコードを用いて商品の履歴情報を検索し、ユーザ端末３０に対する履歴情報の提供回数に応じて、ユーザ端末３０に対する文字広告料金の課金金額を算出する。【選択図】図２
2007334838.tif 000002
【特許請求の範囲】
【請求項１】
サイトを開設しているユーザが使用するユーザ端末からの依頼に応じて商品の履歴情報を提供する商品情報提供システムであって、
商品に付されている履歴情報検索コードを提示した前記ユーザ端末からの履歴情報取得依頼に応じて、履歴情報の提供に際しての前記サイトの文字広告料金に関する閲覧条件情報を前記ユーザ端末に対して提示する閲覧条件提示手段と、
前記閲覧条件情報に応答した前記ユーザ端末からの回答情報が示す回答内容に応じて、前記サイトに関する広告情報を検索エンジンの検索結果ページに掲載するための広告掲載条件情報を更新する広告掲載条件更新手段と、
前記閲覧条件情報に応答した前記ユーザ端末からの回答情報が示す回答内容に応じて、前記履歴情報検索コードを用いて商品の履歴情報を検索する履歴情報検索手段と、
前記ユーザ端末に対する履歴情報の提供回数に応じて、当該ユーザ端末に対する前記文字広告料金の課金金額を算出する課金金額算出手段とを備えた
ことを特徴とする商品情報提供システム。
【請求項２】
前記課金金額算出手段によって算出された前記文字広告料金の課金金額の履歴情報提供者と検索エンジン開設者の配分を決定する料金配分決定手段をさらに備えた
ことを特徴とする請求項１記載の商品情報提供システム。
【請求項３】
検索処理サーバは、前記広告掲載条件更新手段からの前記広告掲載条件情報に基づいて、検索サイトで前記広告情報を検索する
ことを特徴とする請求項１又は２記載の商品情報提供システム。
【請求項４】
前記広告掲載条件更新手段は、前記検索結果ページに掲載される前記広告情報の選択される回数を増加させるようにする条件、及び前記検索結果ページに掲載される前記広告情報の掲載期間を延長させるようにする条件のうちの少なくともいずれかの条件を加味して前記広告掲載条件情報を更新する
ことを特徴とする請求項１〜３のいずれか１項記載の商品情報提供システム。
【請求項５】
前記課金金額算出手段は、前記広告掲載条件更新手段によって広告掲載条件情報が更新されるごとに、新たな課金金額を算出し、
前記閲覧条件提示手段は、前記課金金額算出手段によって算出された課金金額に応じて、文字広告料金に関する閲覧条件情報を前記ユーザ端末に対して提示する
ことを特徴とする請求項４記載の商品情報提供システム。
【請求項６】
サイトを開設しているユーザが使用するユーザ端末からの依頼に応じて商品の履歴情報を提供する商品情報提供方法であって、
商品に付されている履歴情報検索コードを提示した前記ユーザ端末からの履歴情報取得依頼に応じて、履歴情報の提供に際しての前記サイトの文字広告料金に関する閲覧条件情報を前記ユーザ端末に対して提示する閲覧条件提示ステップと、
前記閲覧条件情報に応答した前記ユーザ端末からの回答情報が示す回答内容に応じて、前記サイトに関する広告情報を検索エンジンの検索結果ページに掲載するための広告掲載条件情報を更新する広告掲載条件更新ステップと、
前記閲覧条件情報に応答した前記ユーザ端末からの回答情報が示す回答内容に応じて、前記履歴情報検索コードを用いて商品の履歴情報を検索する履歴情報検索ステップと、
前記ユーザ端末に対する履歴情報の提供回数に応じて、当該ユーザ端末に対する前記文字広告料金の課金金額を算出する課金金額算出ステップとを有する
ことを特徴とする商品情報提供方法。
【請求項７】
前記課金金額算出ステップによって算出された前記文字広告料金の課金金額の履歴情報提供者と検索エンジン開設者の配分を決定する料金配分決定ステップをさらに有する
ことを特徴とする請求項６記載の商品情報提供方法。
【請求項８】
前記広告掲載条件更新ステップによって更新された前記広告掲載条件情報に基づいて、検索サイトで前記広告情報を検索する検索処理ステップをさらに有することを特徴とする請求項６又は７記載の商品情報提供方法。
【請求項９】
前記広告掲載条件更新ステップでは、前記検索結果ページに掲載される前記広告情報の選択される回数を増加させるようにする条件、及び前記検索結果ページに掲載される前記広告情報の掲載期間を延長させるようにする条件のうちの少なくともいずれかの条件を加味して前記広告掲載条件情報を更新する
ことを特徴とする請求項６〜８のいずれか１項記載の商品情報提供方法。
【請求項１０】
前記課金金額算出ステップでは、前記広告掲載条件更新ステップによって広告掲載条件情報が更新されるごとに、新たな課金金額を算出し、
前記閲覧条件提示ステップでは、前記課金金額算出ステップによって算出された課金金額に応じて、文字広告料金に関する閲覧条件情報を前記ユーザ端末に対して提示する
ことを特徴とする請求項９記載の商品情報提供方法。
【請求項１１】
消費者が使用する消費者端末からの前記広告情報を選択したことを示す広告選択通知に応じて、前記消費者端末を特定する端末特定ステップと、
前記文字広告料金の少なくとも一部を、前記消費者端末が属するサービスを提供するサービス事業者のサービス事業範囲内で使用可能なクーポンのポイントに換算するポイント換算ステップと、
換算したポイントを前記消費者端末に通知するポイント通知ステップと、
換算したポイントを前記文字広告料金の課金金額として換算する課金金額換算ステップとをさらに有し、
前記料金配分決定ステップでは、前記課金金額換算ステップによって換算された課金金額及び前記課金金額算出ステップによって算出された課金金額の前記履歴情報提供者、前記検索エンジン開設者及び前記消費者の配分を決定することを特徴とする請求項７〜１０のいずれか１項記載の商品情報提供方法。
【請求項１２】
請求項９に記載の商品情報提供方法を用い、
サイトを開設していない未開設ユーザが使用する未開設ユーザ端末のユーザ名や当該未開設ユーザが提供する商品の商品名などの前記未開設ユーザ端末に関する検索情報を検索処理サーバによって検索可能なサイトを生成するサイト生成サーバと、
生成されたサイトを商品情報提供サーバ及び検索処理サーバが属する商品情報提供システムに登録するサイト登録手段とを備えた
ことを特徴とするサーバシステム。
【発明の詳細な説明】
【技術分野】
【０００１】
本発明は、トレーサビリティコードを検索キーとする商品の履歴照会依頼に応じて、商品の履歴情報を提供する商品情報提供システム、商品情報提供方法、及びサーバシステムに関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
しかしながら、上述した特許文献１に記載された従来のシステムでは、商品の生産・流通履歴が提供されるが、この商品の生産・流通履歴とともに付加的な情報を提供したり利用させたりすることができないため、依然としてシステムの有効活用が図りにくいという問題があった。
【０００６】
本発明は、上述した問題を解消し、システムの管理コストや管理負担を増大させることなく、商品の履歴情報を提供するとともに付加的な情報を提供したり利用させたりすることができる商品情報提供システム、商品情報提供方法、及びサーバシステムを提供することを目的とする。
【課題を解決するための手段】
【０００７】
本発明の商品情報提供システムは、サイトを開設しているユーザが使用するユーザ端末からの依頼に応じて商品の履歴情報を提供する商品情報提供システムであって、商品に付されている履歴情報検索コードを提示した前記ユーザ端末からの履歴情報取得依頼に応じて、履歴情報の提供に際しての前記サイトの文字広告料金に関する閲覧条件情報を前記ユーザ端末に対して提示する閲覧条件提示手段と、前記閲覧条件情報に応答した前記ユーザ端末からの回答情報が示す回答内容に応じて、前記サイトに関する広告情報を検索エンジンの検索結果ページに掲載するための広告掲載条件情報を更新する広告掲載条件更新手段と、前記閲覧条件情報に応答した前記ユーザ端末からの回答情報が示す回答内容に応じて、前記履歴情報検索コードを用いて商品の履歴情報を検索する履歴情報検索手段と、前記ユーザ端末に対する履歴情報の提供回数に応じて、当該ユーザ端末に対する前記文字広告料金の課金金額を算出する課金金額算出手段とを備えたことを特徴とする。
【０００８】
上記のように構成したことで、トレーサビリティシステムを管理する管理者の管理コストや管理負担を増大させることなく、商品の履歴情報とともに付加的な情報として広告情報を提供したり利用させたりすることができるようになる。
【０００９】
課金金額算出手段によって算出された文字広告料金の課金金額の履歴情報提供者と検索エンジン開設者の配分を決定する料金配分決定手段をさらに備えた構成とされてもよい。
【００１０】
検索処理サーバは、広告掲載条件更新手段からの広告掲載条件情報に基づいて、検索サイトで広告情報を検索する構成とされてもよい。
【００１１】
広告掲載条件更新手段は、検索結果ページに掲載される広告情報の選択される回数を増加させるようにする条件、及び検索結果ページに掲載される広告情報の掲載期間を延長させるようにする条件のうちの少なくともいずれかの条件を加味して広告掲載条件情報を更新する構成とされてもよい。
【００１２】
課金金額算出手段は、広告掲載条件更新手段によって広告掲載条件情報が更新されるごとに、新たな課金金額を算出し、閲覧条件提示手段は、課金金額算出手段によって算出された課金金額に応じて、文字広告料金に関する閲覧条件情報をユーザ端末に対して提示する構成とされてもよい。
【００１３】
また、本発明の商品情報提供方法は、サイトを開設しているユーザが使用するユーザ端末からの依頼に応じて商品の履歴情報を提供する商品情報提供方法であって、商品に付されている履歴情報検索コードを提示した前記ユーザ端末からの履歴情報取得依頼に応じて、履歴情報の提供に際しての前記サイトの文字広告料金に関する閲覧条件情報を前記ユーザ端末に対して提示する閲覧条件提示ステップと、前記閲覧条件情報に応答した前記ユーザ端末からの回答情報が示す回答内容に応じて、前記サイトに関する広告情報を検索エンジンの検索結果ページに掲載するための広告掲載条件情報を更新する広告掲載条件更新ステップと、前記閲覧条件情報に応答した前記ユーザ端末からの回答情報が示す回答内容に応じて、前記履歴情報検索コードを用いて商品の履歴情報を検索する履歴情報検索ステップと、前記ユーザ端末に対する履歴情報の提供回数に応じて、当該ユーザ端末に対する前記文字広告料金の課金金額を算出する課金金額算出ステップとを有することを特徴とする。
【００１４】
消費者が使用する消費者端末からの広告情報を選択したことを示す広告選択通知に応じて、消費者端末を特定する端末特定ステップと、文字広告料金の少なくとも一部を、消費者端末が属するサービスを提供するサービス事業者のサービス事業範囲内で使用可能なクーポンのポイントに換算するポイント換算ステップと、換算したポイントを消費者端末に通知するポイント通知ステップと、換算したポイントを文字広告料金の課金金額として換算する課金金額換算ステップとをさらに有し、料金配分決定ステップでは、課金金額換算ステップによって換算された課金金額及び課金金額算出ステップによって算出された課金金額の履歴情報提供者、検索エンジン開設者及び消費者の配分を決定する構成とされてもよい。
【００１５】
さらに、本発明のサーバシステムは、上記商品情報提供方法を用い、サイトを開設していない未開設ユーザが使用する未開設ユーザ端末のユーザ名や当該未開設ユーザが提供する商品の商品名などの前記未開設ユーザ端末に関する検索情報を検索処理サーバによって検索可能なサイトを生成するサイト生成サーバと、生成されたサイトを商品情報提供サーバ及び検索処理サーバが属する商品情報提供システムに登録するサイト登録手段とを備えたことを特徴とする。
【発明の効果】
【００１６】
本発明によれば、トレーサビリティシステムを管理する管理者の管理コストや管理負担を増大させることなく、商品の履歴情報を提供するとともに付加的な情報を提供したり利用させたりすることができる。
【発明を実施するための最良の形態】
【００１７】
以下、本発明の一実施の形態について図面を参照して説明する。
図１は、本発明の一実施の形態における商品情報提供システム１００の構成の例を示すブロック図である。図１に示すように、商品情報提供システム１００は、商品情報提供サーバ１０と、検索処理サーバ２０と、ユーザ端末３０とを含む。
【００１８】
商品情報提供サーバ１０、及び検索処理サーバ２０は、それぞれ、例えばインターネットなどの通信ネットワーク４０に接続されている。また、商品情報提供サーバ１０、及び検索処理サーバ２０は、それぞれ、ＷＷＷサーバなどの情報処理装置によって構成される。
【００１９】
商品情報提供サーバ１０は、例えば商品情報提供システム１００のシステム管理者によって管理される本部サーバであり、トレーサビリティシステムにおける履歴情報の提供処理などの各種の処理を実行する。
【００２０】
商品情報提供サーバ１０は、各商品の履歴を示す商品履歴情報を格納する商品履歴情報ＤＢ１１を備えている。商品履歴情報は、商品の生産履歴や流通履歴を示す情報であって、例えば、商品分類、商品名、商品の生産者・製造者・販売元、商品の販売者・販売店、商品の生産日・製造日、商品の生産地・製造地などの各種の情報を含む。なお、商品履歴情報ＤＢ１１は、商品情報提供サーバ１０の内部にあっても外部にあってもよい。
【００２１】
検索処理サーバ２０は、例えば検索エンジンを利用可能なポータルサイトを運営するポータルサイト運営業者によって管理されるサーバ装置であり、検索エンジンによる検索処理に必要な検索情報を格納する検索情報ＤＢ２１を備えている。検索情報には、検索キーワードに基づき検索エンジンによって検索され得るウェブサイト（以下、単に「サイト」という。）情報や辞書情報、及び検索の際に参照される各サイトの閲覧数などの各種の情報を含む。本例では、検索処理サーバ２０によって検索され得る情報の少なくとも一部が、広告情報として利用される。すなわち、例えば、検索情報の一部が、広告情報として利用される。広告情報は、ユーザ端末３０を使用するユーザが開設しているサイトに関連する各種の情報であって、例えば、そのサイトに関連した各種の広告、あるいはその広告が掲載されているサイトにアクセスするための情報（具体的には、例えばＵＲＬ）などを含む。なお、検索情報ＤＢ２１は、検索処理サーバ２０の内部にあっても外部にあってもよい。
【００２２】
ユーザ端末３０は、例えばパーソナルコンピュータや携帯情報端末などの情報処理装置によって構成され、通信ネットワーク４０に接続するためのソフトウェア及びハードウェアを含む環境を備えているものとする。なお、ここでは、ユーザ端末３０を使用するユーザは、企業や事業者などであって、特定のサイトを開設していることとする。
【００２３】
また、本例の商品情報提供システム１００は、一般消費者が使用する消費者端末（図示せず）と、特定のサイトを開設していない未開設ユーザが使用する未開設ユーザ端末（図示せず）と、この未開設ユーザ端末のユーザ名や未開設ユーザが提供する商品の商品名などの未開設ユーザ端末に関する検索情報を検索処理サーバ２０によって検索可能なサイトを生成するサイト生成サーバ（図示せず）とを含んで構成されてもよい。
【００２４】
次に、本例の商品情報提供システム１００の動作について説明する。
ここでは、商品Ｘを購入したユーザＹが、ユーザ端末３０を利用して商品Ｘの履歴照会を行う場合を例に説明することとし、本発明に特に関わる処理以外は、説明を省略している場合があるものとする。
【００２５】
図２は、本例の商品情報提供システム１００における商品情報（商品履歴情報、広告情報）の提供処理の例を示すフローチャートである。商品情報提供処理において、先ず、ユーザ端末３０は、ユーザＹの操作に応じて商品情報提供サーバ１０にアクセスする（ステップＳ１０１）。
【００２６】
ステップＳ１０１では、例えば、商品Ｘを購入した店舗に付与されているＵＲＬ（Uniform Resource Locator）によりアクセスされる。なお、商品Ｘを製造している製造元などの他の組織や団体に付与されているＵＲＬによりアクセスされるようにしてもよい。
【００２７】
ユーザ端末３０からのアクセスがあると、商品情報提供サーバ１０は、商品に付与されているトレーサビリティコード（商品コード）を入力するためのコード入力画面を生成し、ユーザ端末３０に送信する（ステップＳ１０２）。
【００２８】
ユーザ端末３０は、商品情報提供サーバ１０からのコード入力画面を、自己が備える表示装置に表示する（ステップＳ１０３）。コード入力画面には、例えば図３に示すように、例えば店舗の名称などが表示された表示領域、トレーサビリティコードを入力するためのコード入力領域、コード入力領域に入力したトレーサビリティコードにより商品履歴情報の検索を行う際に押下される検索ボタンなどが設けられている。
【００２９】
コード入力画面が表示されると、ユーザＹは、ユーザ端末３０が備えるキーボードなどの入力装置を操作して、商品Ｘに付与されているトレーサビリティコードをコード入力領域に入力する。
【００３０】
そして、ユーザ端末３０は、検索ボタンの押下を受け付けると、ユーザＹによって入力された商品Ｘのトレーサビリティコードを商品情報提供サーバ１０に送信する（ステップＳ１０４）。
【００３１】
トレーサビリティコードを受信すると、商品情報提供サーバ１０は、商品履歴情報の提供に際してのユーザＹの開設するサイトの文字広告料金に関する閲覧条件情報について、承諾を問うための閲覧条件提示画面を生成し、ユーザ端末３０に送信する（ステップＳ１０５）。
【００３２】
ユーザ端末３０は、商品情報提供サーバ１０からの閲覧条件提示画面を、自己が備える表示装置に表示する（ステップＳ１０６）。閲覧条件提示画面には、例えば図４に示すように、商品Ｘに係る商品履歴情報の閲覧条件の承諾を問うための画面であり、文字広告を有料で掲載する旨が表示された表示領域、商品Ｘの商品履歴情報の閲覧条件を承諾するか否かを選択するために押下される閲覧条件承諾ボタン（「承諾する」と表示されているボタン）及び閲覧条件非承諾ボタン（「承諾しない」と表示されているボタン）を表示する領域などが設けられている。
【００３３】
閲覧条件提示画面が表示されると、ユーザＹは、ユーザ端末３０が備えるマウスなどの入力装置を操作して、閲覧条件承諾ボタンあるいは閲覧条件非承諾ボタンを押下する。そして、ユーザ端末３０は、閲覧条件承諾ボタンの押下を受け付けると（ステップＳ１０７のＹ）、ユーザＹによって商品履歴情報の閲覧条件が承諾されたことを示す閲覧条件受付情報を商品情報提供サーバ１０に送信する（ステップＳ１０８）。なお、閲覧条件非承諾ボタンが押下された場合（ステップＳ１０７のＮ）には、その旨が商品情報提供サーバ１０に通知されたあと、例えば商品情報提供サーバ１０のトップページにアクセスしてそのウェブページを表示する。
【００３４】
閲覧条件受付情報を受信すると、商品情報提供サーバ１０は、ユーザＹのサイトに関する広告情報を検索処理サーバ２０の検索結果ページに掲載するための広告掲載条件情報の更新開始を通知する閲覧条件受付通知を検索処理サーバ２０に送信する（ステップＳ１０９）。そして、検索処理サーバ２０は、商品情報提供サーバ１０からの閲覧条件受付通知に応じて、広告掲載条件情報を更新する（ステップＳ１１０）。
【００３５】
広告掲載条件情報の更新は、具体的には、例えば検索サイトの検索結果ページに掲載されるユーザＹのサイトに関する広告情報について、被選択の確率を高める（すなわち、一定期間中に選択される回数を増加させる）ようにしたり、掲載期間を延長させるようにしたり、一定期間中の被選択回数を増加させるようにしたりしておこなわれる。広告掲載条件情報を更新すると、検索処理サーバ２０は、更新した広告掲載条件情報を商品情報提供サーバ１０に送信し（ステップＳ１１１）、ここでの処理を終了する。
【００３６】
広告掲載条件情報を受信すると、商品情報提供サーバ１０は、商品履歴情報ＤＢ１１に格納されている商品履歴情報を参照し、受信したトレーサビリティコードを用いて、商品Ｘの商品履歴情報を検索する（ステップＳ１１２）。具体的には、商品履歴情報ＤＢ１１に格納されている商品履歴情報の中から、トレーサビリティコード（商品コード）に対応付けされている商品履歴情報を抽出する。
【００３７】
商品Ｘの商品履歴情報を検索すると、商品情報提供サーバ１０は、検索した商品履歴情報を閲覧させるための商品履歴情報閲覧画面を生成し、ユーザ端末３０に送信する（ステップＳ１１３）。
【００３８】
ユーザ端末３０は、商品情報提供サーバ１０からの商品履歴情報閲覧画面を、自己が備える表示装置に表示する（ステップＳ１１４）。商品履歴情報閲覧画面には、例えば図５に示すように、商品Ｘの商品履歴情報が表示された表示領域や、商品Ｘの商品履歴情報の閲覧の終了を選択するための商品履歴情報閲覧終了ボタン（「閲覧を終了する」と表示されているボタン）を表示する領域などが設けられている。
【００３９】
商品履歴情報閲覧画面が表示されると、ユーザＹは、商品履歴情報閲覧画面に表示されている商品履歴情報を閲覧するとともに、閲覧を終了したい場合には、ユーザ端末３０に備えられている入力装置を操作して商品履歴情報閲覧終了ボタンを押下する。商品履歴情報閲覧終了ボタンが押下されると（ステップＳ１１５）、ユーザ端末３０は、ここでの処理を終了する。このとき、商品情報提供サーバ１０に対して商品履歴情報の閲覧処理の完了を指示するための閲覧終了通知を行うようにしてもよい。
【００４０】
一方、商品情報提供サーバ１０は、商品履歴情報閲覧画面をユーザ端末３０に送信したら、商品履歴情報閲覧画面の送信回数（提供回数）と、検索処理サーバ２０から受信した広告掲載条件情報とに基づいて、ユーザ端末３０に対する文字広告料金の課金金額を算出する（ステップＳ１１６）。文字広告料金の課金金額を算出したら、所定の配分条件などに基づいて、算出した課金金額による文字広告料金の商品履歴情報提供者（すなわち、商品情報提供サーバ１０の管理者）と検索エンジン開設者（すなわち、検索処理サーバ２０の管理者）の配分を決定し（ステップＳ１１７）、ここでの処理を終了する。
【００４１】
なお、商品情報提供サーバ１０は、更新された広告掲載条件情報を検索処理サーバ２０から受信するごとに、課金金額を算出するようにしてもよい。そして、算出された課金金額に応じて、文字広告料金に関して新たに承諾を問うための閲覧条件提示画面を生成し、ユーザ端末３０に送信するようにしてもよい。
【００４２】
また、商品情報提供サーバ１０は、次のように課金金額を算出し、料金配分を決定するようにしてもよい。すなわち、商品情報提供サーバ１０は、一般消費者が使用する店舗などに設置された消費者端末からの広告情報を選択したことを示す広告選択通知に応じて、広告情報を選択した消費者端末を特定する。そして、文字広告料金の少なくとも一部を、消費者端末が属するサービスを提供するサービス事業者のサービス事業範囲内で使用可能なクーポンなどのポイントに換算する。
【００４３】
次に、換算したポイントを消費者端末に通知し、換算したポイントを文字広告料金の課金金額として換算する。なお、換算したポイントの消費者端末への通知は、例えば、特定された消費者端末から消費者の操作入力などによって商品情報提供サーバ１０に通知される消費者の個人カード情報やＩＤ情報などの識別情報に基づき、消費者が広告情報を閲覧するごとにその閲覧画面にポイント加算情報などのポイントが認識可能な情報を表示させるようにすればよい。最後に、換算された課金金額及びステップＳ１１６にて算出された課金金額の履歴情報提供者、検索エンジン開設者及び消費者の配分を決定する。このようにすれば、一般消費者にとっても広告情報を選択することでクーポンなどの利益を得ることができるので、広告情報を有効に利用することができるようになる。
【００４４】
また、広告掲載条件情報の更新について、ユーザＹのサイトに関する広告情報の被選択の確率を高めるようにしたり、掲載期間を延長させるようにしたり、一定期間中の被選択回数を増加させるようにしたりすることに併せて、次のように構成してもよい。すなわち、未開設ユーザ端末からの広告情報の検索ヒット率を向上させるために、未開設ユーザ端末に関する検索情報（ユーザ名や商品名などの情報）を検索処理サーバ２０によって検索可能なサイトをサイト生成サーバによって生成する。そして、例えば、生成したサイトを、商品情報提供サーバ１０によって商品情報提供システム１００に登録する。このようにすれば、商品情報提供システム１００において、広告情報をより多く見ることができる機会を設けることになるので、広告情報のより有効な活用が可能となる。
【００４５】
ここで、上述した課金金額算出処理と料金配分決定処理からなる課金処理についての一例を説明する。図６は、本例の商品情報提供システム１００における課金処理の例を示すフローチャートである。課金処理においては、商品情報提供サーバ１０は、例えばユーザ端末３０への商品履歴情報閲覧画面の送信回数（すなわち、商品履歴情報の提供回数）に基づいて、広告掲載条件情報により設定された広告掲載条件により決まる料金規定に応じて課金金額を算出する（ステップＳ２０１）。課金金額を算出したら、例えば商品履歴情報提供者と検索エンジン開設者の間であらかじめ取り決められた配分割合（例えば折半）などに基づいて、配分金額を算出して料金配分を決定して（ステップＳ２０２）、処理を終了する。
【００４６】
次に、検索処理サーバ２０での検索処理についての一例を説明する。図７は、本例の商品情報提供システム１００における検索処理サーバ２０での検索処理の例を示すフローチャートである。検索処理においては、まず、検索処理サーバ２０は、一般的なユーザが、通信ネットワーク４０に接続された図示しない一般端末などに備えられた入力装置を操作して入力した任意の検索キーワードを受け付ける（ステップＳ３０１）。ここでは、ユーザＹのサイトに関する広告情報に含まれる検索キーワードを受け付けたものとする。すなわち、検索処理サーバ２０は、ステップＳ３０１にて、広告情報に含まれるユーザＹのサイトの名称や、ユーザＹのサイトに関連する関連ワードを検索キーワードとして受け付けたものとする。
【００４７】
次いで、検索処理サーバ２０は、現在の広告掲載条件情報（ステップＳ１１０にて更新した場合は更新後の広告掲載条件情報）を参照し（ステップＳ３０２）、受け付けた検索キーワードに基づいて、自己に搭載されている検索エンジンを用いてページ検索を行うとともに（ステップＳ３０３）、広告情報の検索を行う（ステップＳ３０４）。具体的には、検索情報ＤＢ２１に格納されている検索情報の中から受け付けた検索キーワードに基づき検索エンジンを用いて検索した情報を、検索結果として抽出する。ここでの検索処理は、いわゆるアンド検索であってもオア検索であってもよい。また、関連語検索などの特殊な検索を行うようにしてもよい。
【００４８】
その後、検索処理サーバ２０は、検索した検索結果に掲載する広告情報の掲載順位や掲載態様などを決定する設定情報を保存し（ステップＳ３０５）、検索キーワードに関連するウェブページを示す検索結果と、この検索結果に掲載される広告情報とを提示するための検索結果提供画面を生成し、一般端末に送信して（ステップＳ３０６）、処理を終了する。なお、検索結果提供画面を受信した一般端末は、自己が備える表示装置に受信した検索結果提供画面を表示する。
【００４９】
検索結果提供画面には、例えば図８に示すように、検索結果として検索キーワードに関連するウェブページの名称やＵＲＬなどの情報が表示される表示領域や、更新された広告掲載条件情報に基づいて掲載されたユーザＹのサイトに関する名称やＵＲＬなどの広告情報が表示される広告表示領域などが設けられている。この広告表示領域に表示される広告情報は、広告掲載条件情報が更新されるごとにその掲載順位や掲載期間等が変動する。
【００５０】
以上に説明したように、上述した一実施の形態では、商品情報提供サーバ１０が、商品に付されているトレーサビリティコードを提示したユーザ端末３０からの履歴情報の取得依頼に応じて、履歴情報の提供に際してのユーザが開設するサイトの文字広告料金に関する閲覧条件情報をユーザ端末３０に対して提示し、閲覧条件情報に応答したユーザ端末からの回答情報が示す回答内容に応じて、検索処理サーバ２０がサイトに関する広告情報を検索エンジンの検索結果ページに掲載するための広告掲載条件情報を更新し、商品情報提供サーバ１０が回答内容に応じてそのトレーサビリティコードを用いて商品の履歴情報を検索し、検索した履歴情報のユーザ端末３０に対する提供回数に応じて、文字広告料金の課金金額を算出する構成としたことで、トレーサビリティシステムを管理する管理者の管理コストや管理負担を増大させることなく、商品の履歴情報を提供するとともに付加的な情報として広告情報を提供したり利用したりすることができるようになる。
【００５１】
すなわち、商品履歴情報の検索に伴う広告情報の掲載に関する処理を商品情報提供サーバ１０及び検索処理サーバ２０が実行することで、トレーサビリティシステム（具体的には商品情報提供サーバ１０）を管理する管理者は、広告情報の管理を行う必要がなく、さらに広告情報の管理のための設備構築やメンテナンスなどに関するコスト負担を負うことなく、付加的な情報としての広告情報を一般消費者に提供したり利用させたりすることが可能となる。
【００５２】
また、商品情報提供サーバ１０によるユーザ端末３０に対する履歴情報の提供回数に応じて、検索処理サーバ２０によるユーザ端末３０のユーザＹのサイトに関する文字広告の掲載頻度を向上させ、ユーザ端末３０のユーザＹに文字広告料金を課す構成としているので、商品履歴情報を無料で提供することができるとともに、商品履歴情報の提供に関連して文字広告料金を得ることができるようになる。また、ユーザＹにとっては、ある程度の広告料金を負担することによって、商品履歴情報を閲覧すればするほど、自己のサイトの文字広告が検索処理サーバ２０の検索結果に多く掲載されるようになるというメリットがある。
【００５３】
また、上述した実施の形態では、商品情報提供サーバ１０によって算出された文字広告料金の課金金額について、所定の配分条件に従って、履歴情報提供者と検索エンジン開設者の配分を決定することで、得られた文字広告料金を自動的に分配することが可能となる。また、上述した実施の形態では、検索処理サーバ２０が、更新された広告掲載条件情報を参照して検索サイトで広告情報を検索する構成としているので、検索結果ページに掲載される広告情報の選択される回数を増加させたり、掲載期間を延長させたりするようにして広告掲載条件情報が更新されれば、広告情報の検索ヒット率などを変更することが可能となる。
【００５４】
また。上述した実施の形態では、商品情報提供サーバ１０と、検索処理サーバ２０とを別個のサーバとしていたが、商品情報提供サーバ１０と検索処理サーバ２０とが１つのサーバ装置によって構成されていてもよい。
【産業上の利用可能性】
【００５５】
本発明によれば、トレーサビリティシステムを管理する管理者の管理コストや管理負担を増大させることなく、商品の履歴情報を提供するとともに付加的な情報を提供したり利用させたりするのに有用である。
【図面の簡単な説明】
【００５６】
【図１】本発明の一実施の形態における商品情報提供システムの構成の例を示すブロック図である。
【図２】商品情報提供処理の例を示すフローチャートである。
【図３】コード入力画面の例を示す説明図である。
【図４】閲覧条件提示画面の例を示す説明図である。
【図５】商品履歴情報提供画面の例を示す説明図である。
【図６】課金処理の例を示すフローチャートである。
【図７】検索処理の例を示すフローチャートである。
【図８】検索結果提供画面の例を示す説明図である。
【符号の説明】
【００５７】
１０        商品情報提供サーバ
１１        商品履歴情報ＤＢ
２０        検索処理サーバ
２１        検索情報ＤＢ
３０        ユーザ端末
１００      商品情報提供システム
【図１】
2007334838.tif 000003
【図２】
2007334838.tif 000004
【図３】
2007334838.tif 000005
【図４】
2007334838.tif 000006
【図５】
2007334838.tif 000007
【図６】
2007334838.tif 000008
【図７】
2007334838.tif 000009
【図８】
2007334838.tif 000010